(57)【要約】【課題】操作信号が斜めからプロジェクタに対して送出される場合であっても良好な受光状態を得ることができるプロジェクタの提供。【解決手段】プロジェクタは、操作信号を受光する受光装置１０と、受光装置１０を収納する外装筐体とを備える。外装筐体の正面部２３３および上面部２１１が交差する角部には、受光用開口部２３２が形成されている。受光装置１０は、受光用開口部２３２内に設けられ、受光方向Ｂは、受光用開口部２３２が形成された正面部２３３および上面部２１１に対して傾斜し、かつ、受光用開口部２３２を介して外装筐体２の外側に向かう方向とされている。このような構成によれば、操作信号がプロジェクタの正面上方側から送出される場合であっても良好な受光状態を得ることができる。【選択図】図５
2009086200.tif 000002
【特許請求の範囲】
【請求項１】
光源から射出された光を、入力される画像情報に応じて変調して画像光を形成し、形成した画像光を拡大投射する画像投射装置と、前記画像投射装置を操作するための操作信号を受光する受光装置と、前記画像投射装置および前記受信装置を収納する外装筐体とを備えるプロジェクタであって、
前記外装筐体は、互いに交差する複数の面を有し、当該各面が交差する角部には、前記受光装置を収納するための受光用開口部が形成され、
前記受光装置は、前記受光用開口部内に設けられ、当該受光装置の受光方向は、当該受光用開口部が形成された各面に対して傾斜し、かつ、当該受光用開口部を介して前記外装筐体の外側に向かう方向とされることを特徴とするプロジェクタ。
【請求項２】
請求項１に記載のプロジェクタにおいて、
前記受光用開口部を閉塞するとともに、前記操作信号を当該受光用開口部内に導入させる受光窓を備え、
前記受光窓は、前記受光用開口部が形成された各面に沿って設けられる複数の受光部を有することを特徴とするプロジェクタ。
【請求項３】
請求項１または請求項２に記載のプロジェクタにおいて、
前記受光用開口部内には、当該受光用開口部が形成された各面に対して傾斜し、かつ、当該受光用開口部を介して前記外装筐体の外側に向かう方向を法線方向とする傾斜面が設けられ、
前記受光装置は、
前記傾斜面に固定される基板と、
前記基板に取り付けられ、前記操作信号を受光する受光素子とを備え、
前記受光素子の受光方向は、前記傾斜面の法線方向と略一致することを特徴とするプロジェクタ。
【請求項４】
請求項２または請求項３に記載のプロジェクタにおいて、
前記受光用開口部は、前記外装筐体における２つの面が交差する角部に形成され、
前記受光窓は、
前記各受光部と交差するとともに、前記受光用開口部内に向かって延出する反射部を有することを特徴とするプロジェクタ。
【発明の詳細な説明】
【技術分野】
【０００１】
本発明は、プロジェクタに関する。
【背景技術】
【０００２】
従来、光源から射出された光を、入力される画像情報に応じて変調して画像光を形成し、形成した画像光を拡大投射する画像投射装置と、画像投射装置を収納する外装筐体とを備えるプロジェクタが知られている。また、このようなプロジェクタとしては、画像投射装置を操作するための操作信号を受光する受光装置を備えたものが知られている（例えば、特許文献１参照）。
特許文献１に記載のプロジェクタでは、フロントケースにリモコン受光窓が形成されている。そして、リモコン受光窓の内側には、リモコン受光モジュール（受光装置）が配置されている。
【０００３】
【特許文献１】特開２００６−３０１２２７号公報
【発明の開示】
【発明が解決しようとする課題】
【０００４】
ここで、机上等の設置面にプロジェクタを設置して使用する場合においては、プロジェクタと、プロジェクタの使用者との位置関係により、操作信号はプロジェクタの斜め上方側から送出されることが多くなる。また、プロジェクタを天井から吊り下げて使用する場合には、操作信号は、プロジェクタの斜め下方側から送出されることが多くなる。
しかしながら、特許文献１に記載のプロジェクタでは、受信装置は、フロントケースの略中央部分に形成された開口を、平面状の１つの受光部を有する受光窓にて閉塞し、この受光窓を介して操作信号を受信するので、操作信号が受光窓に対して正面から導入される場合には良好な受光状態を得ることができるものの、操作信号が受光窓に対して斜めから導入される場合には良好な受光状態を得ることができない場合があるという問題がある。
【０００５】
本発明の目的は、操作信号がプロジェクタに対して斜めから送出される場合であっても良好な受光状態を得ることができるプロジェクタを提供することにある。
【課題を解決するための手段】
【０００６】
本発明のプロジェクタは、光源から射出された光を、入力される画像情報に応じて変調して画像光を形成し、形成した画像光を拡大投射する画像投射装置と、前記画像投射装置を操作するための操作信号を受光する受光装置と、前記画像投射装置および前記受信装置を収納する外装筐体とを備えるプロジェクタであって、前記外装筐体は、互いに交差する複数の面を有し、当該各面が交差する角部には、前記受光装置を収納するための受光用開口部が形成され、前記受光装置は、前記受光用開口部内に設けられ、当該受光装置の受光方向は、当該受光用開口部が形成された各面に対して傾斜し、かつ、当該受光用開口部を介して前記外装筐体の外側に向かう方向とされることを特徴とする。
【０００７】
ここで、受光装置は、一般的に指向性を有しており、所定方向（受光方向）を中心として所定角度の範囲（以下、受光範囲とする）内から導入される操作信号を受光することができる。
したがって、このような構成によれば、受光装置の受光方向は、受光用開口部が形成された各面に対して傾斜し、かつ、受光用開口部を介して外装筐体の外側に向かう方向とされるので、操作信号がプロジェクタに対して斜めから送出される場合であっても良好な受光状態を得ることができる。例えば、略直方体状の外装筐体を備えるプロジェクタにおいて、受光用開口部を、外装筐体の正面および上面が交差する角部に形成し、受光装置を、外装筐体の上面および正面に対して傾斜し、かつ、外装筐体の外側に向かう受光方向となるように受光用開口部内に設けることで、操作信号がプロジェクタの正面上方側から送出される場合であっても良好な受光状態を得ることができる。
【０００８】
本発明では、前記受光用開口部を閉塞するとともに、前記操作信号を当該受光用開口部内に導入させる受光窓を備え、前記受光窓は、前記受光用開口部が形成された各面に沿って設けられる複数の受光部を有することが好ましい。
【０００９】
ここで、例えば、前述したように、受光用開口部を、外装筐体の正面および上面が交差する角部に形成した場合において、平面状の１つの受光部を有する受光窓にて受光用開口部を閉塞すると、プロジェクタの正面上方側から送出される操作信号については受光部に導入されるので良好な受光状態を得ることができる。しかしながら、プロジェクタの背面上方側から送出される操作信号については受光部に導入されない場合があるので良好な受光状態を得ることができない。
これに対して、本発明によれば、受光窓は、受光用開口部が形成された各面に沿って設けられる複数の受光部を有しているので、プロジェクタの背面上方側から送出される操作信号は、外装筐体の上面に沿って設けられた受光部を介して受光用開口部内に導入され、外装筐体の正面に沿って設けられた受光部において一部が反射されて受光装置にて受光される。したがって、プロジェクタの背面上方側から送出される操作信号についても良好な受光状態を得ることができ、ひいては、受光装置の受光範囲を拡張することができる。
【００１０】
本発明では、前記受光用開口部内には、当該受光用開口部が形成された各面に対して傾斜し、かつ、当該受光用開口部を介して前記外装筐体の外側に向かう方向を法線方向とする傾斜面が設けられ、前記受光装置は、前記傾斜面に固定される基板と、前記基板に取り付けられ、前記操作信号を受光する受光素子とを備え、前記受光素子の受光方向は、前記傾斜面の法線方向と略一致することが好ましい。
【００１１】
このような構成によれば、傾斜面に基板を固定するだけの簡素な構成により、受光装置の受光方向を、受光用開口部が形成された各面に対して傾斜し、かつ、受光用開口部を介して外装筐体の外側に向かう方向とすることができ、操作信号がプロジェクタに対して斜めから送出される場合であっても良好な受光状態を得ることができる。
【００１２】
本発明では、前記受光用開口部は、前記外装筐体における２つの面が交差する角部に形成され、前記受光窓は、前記各受光部と交差するとともに、前記受光用開口部内に向かって延出する反射部を有することが好ましい。
ここで、反射部は、入射される光の少なくとも一部を反射することができればよい。
【００１３】
このような構成によれば、例えば、前述したように、受光用開口部を、外装筐体の正面および上面が交差する角部に形成した場合において、プロジェクタの側面上方側から送出される操作信号は、外装筐体の正面または上面に沿って設けられた受光部に導入され、各受光部と交差するともに、受光用開口部内に向かって延出する反射部において少なくとも一部が反射されて受光装置にて受光される。したがって、プロジェクタの側面上方側から送出される操作信号についても良好な受光状態を得ることができ、ひいては、受光装置の受光範囲を拡張することができる。
【発明を実施するための最良の形態】
【００１４】
以下、本発明の一実施形態を図面に基づいて説明する。
〔プロジェクタの外観構成〕
図１は、本実施形態に係るプロジェクタ１を正面側から見た斜視図である。
本実施形態に係るプロジェクタ１は、外部機器等から入力する画像情報に応じた画像光を形成し、当該画像光をスクリーン等の投射面上に投影するものである。このプロジェクタ１は、図１に示すように、外装筐体２と、当該外装筐体２内に収納される装置本体３（図１では図示省略）とを備えている。
【００１５】
〔外装筐体の構成〕
外装筐体２は、全体略直方体形状を有し、本実施形態では合成樹脂により形成されている。この外装筐体２は、上面を形成するアッパーケース２１、下面を形成するロアーケース２２、及び、正面（後述する投射レンズ４６により画像光を投射する側）を形成するフロントケース２３とから構成されている。
このうち、ロアーケース２２の底面には、詳しい図示を省略するが、設置面にプロジェクタ１を設置するための脚部が突設されている。
【００１６】
アッパーケース２１は、上面部２１１と、当該上面部２１１から略垂下する左右の側面部２１２，２１３及び背面部２１４とを有する縦断面視略Ｕ字状に形成されている。
上面部２１１の略中央には、複数の開口２１１１が形成されており、当該開口２１１１を介して、プロジェクタ１を操作するための操作パネル上に配設された複数のキー２１１２が露出する。このようなキー２１１２として、プロジェクタ１の電源をオン／オフする電源キーや、台形歪み等の調整並びにメニュー画面の項目選択等に用いられる方向キー及び決定キー等が挙げられる。
【００１７】
また、上面部２１１における正面側（フロントケース２３に近接する側）には、開口２１１３及び膨出部２１１４が形成されている。この開口２１１３及び膨出部２１１４が形成された領域に対応する外装筐体２の内部には投射レンズ４６が設けられており、当該開口２１１３を介して、投射レンズ４６に設けられたズーム及びフォーカス調整用のつまみ４６３が露出する。また、膨出部２１１４は、投射レンズ４６の形状に応じて面外方向に膨出するように形成されている。
更に、上面部２１１における背面側には、後述する光源装置４１１を交換するための略矩形の開口２１１５が形成され、当該開口２１１５は、カバー２１１６により覆われている。
【００１８】
側面部２１２，２１３のうち、プロジェクタ１を正面側から見た場合の左側（図１における左側）に位置する側面部２１２には、外装筐体２内部の空気を外部に排気するスリット状の第１の排気口２１２１と、略矩形状の切欠２１２２とが形成されている。
このうち、切欠２１２２には、アッパーケース２１とロアーケース２２とが組み合わさった際に、ロアーケース２２に形成された排気部２２１が嵌め合わされる。なお、この排気部２２１にはスリット状の第２の排気口２２２が形成されており、当該排気口２２２を介して、内部に設けられたファン６３（図２参照）により、外装筐体２内の空気が排出される。
また、側面部２１２とは反対側に形成された側面部２１３には、図示を省略したが、外装筐体２外部の空気を内部に導入するための吸気口が形成されている。
【００１９】
フロントケース２３には、側面部２１３側に、投射レンズ４６が露出するための略円形状の開口２３１が形成されている。また、フロントケース２３の略中央上側には、アッパーケース２１と組み合わさって形成される略矩形の受光用開口部２３２が形成され、当該受光用開口部２３２は、受光窓１１によって覆われている。この受光用開口部２３２の内部には、リモコン（図示省略）からの赤外線信号（操作信号）を受光する受光装置１０（図４参照）が設けられている。なお、受光装置１０および受光窓１１については、後に詳述する。
【００２０】
〔装置本体の構成〕
図２は、装置本体３を示す斜視図である。換言すると、図２は、図１の状態からアッパーケース２１及びフロントケース２３を取り外した状態のプロジェクタ１を示す斜視図である。
装置本体３は、外部機器等から入力した画像情報を処理し、当該画像情報に応じた画像光を形成投射するものであり、ロアーケース２２に固定されている。この装置本体３は、図２に示すように、光学装置４、電源装置５、冷却装置６及び制御装置（図示省略）を備えている。
このうち、電源装置５は、正面に沿って配置され、外部から入力した商用交流電流を直流変換した後、昇圧及び降圧して、プロジェクタ１を構成する各電子部品に電力を供給する。この電源装置５は、周囲を電磁シールド材５１により覆われており、これによりＥＭＩ（Electro Magnetic Interference、電磁干渉）対策が施されている。
【００２１】
冷却装置６は、側面部２１３の吸気口（図示省略）を介して外装筐体２の外部から導入した空気を用いて光学装置４、電源装置５及び制御装置を冷却し、冷却に供された空気を第１の排気口２１２１、及び第２の排気口２２２を介して外部に排出するものである。この冷却装置６は、ダクト６１及び複数のファンにより構成されている。
このうち、ダクト６１は、側面部２１３の吸気口（図示省略）に接続され、当該ダクト６１の下方に配置されたファン（図示省略）により、外装筐体２外部から導入した冷却空気を、後述する光学装置４の各液晶パネル４４１等に送風する。
電源装置５近傍に設けられたファン６２は、外装筐体２内部の冷却空気の一部を導入し、当該冷却空気を電源装置５に流通させて第１の排気口２１２１より排出する。
排気部２２１と接続されたファン６３は、装置本体３の冷却に供された空気を吸引し、第２の排気口２２２を介して外装筐体２の外部に排出する。
【００２２】
制御装置は、プロジェクタ１の動作を制御する。例えば、制御装置は、前述の操作パネルの各キー２１１２に対する入力操作に応じた処理を実行するほか、入力する画像情報を処理し、当該画像情報に応じた画像信号を光学装置４の後述する液晶パネル４４１に出力する。この制御装置は、詳しい図示を省略するが、ＣＰＵ（Central Processing Unit）等が実装された回路基板として構成され、光学装置４の上方に配置される。
【００２３】
〔光学装置の構成〕
図３は、光学装置４の光学系を示す模式図である。
画像投射装置としての光学装置４は、前述の制御装置から入力する画像信号に応じた画像光を形成し、当該画像光を投射面上に投射する。この光学装置４は、外装筐体２の背面（背面部２１４）に沿って延出するとともに、当該外装筐体２の側面（側面部２１３）に沿って延出する平面視略Ｌ字形状を有している。
このような光学装置４は、図３に示すように、照明光学装置４１と、色分離光学装置４２と、リレー光学装置４３と、電気光学装置４４と、これら各装置４１〜４４を内部に収納配置する光学部品用外装筐体４５と、当該光学部品用外装筐体４５に取り付けられる投射レンズ４６とを備えて構成されている。
【００２４】
照明光学装置４１は、光源装置４１１、第一レンズアレイ４１２、第二レンズアレイ４１３、偏光変換素子４１４及び重畳レンズ４１５を備えて構成されている。
光源装置４１１は、放射状の光線を射出する光源ランプ４１６と、当該光源ランプ４１６から射出された放射光を反射して所定位置に収束させるリフレクタ４１７と、リフレクタ４１７にて収束される光束を照明光軸Ａに対して平行化する平行化凹レンズ４１８とを備えている。このような光源ランプ４１６としては、ハロゲンランプ、メタルハライドランプ及び高圧水銀ランプ等を利用することができる。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００２５】
第一レンズアレイ４１２及び第二レンズアレイ４１３は、それぞれ対応する小レンズがマトリクス状に配列された構成を有し、第一レンズアレイ４１２は、光源装置４１１から入射した光束を複数の部分光束に分割して、第二レンズアレイ４１３近傍に結像させる。
第二レンズアレイ４１３は、光路後段に位置する重畳レンズ４１５とともに、第一レンズアレイ４１２の各小レンズから射出された像を、電気光学装置４４の後述する液晶パネル４４１の画像形成領域に結像させる。
偏光変換素子４１４は、第二レンズアレイ４１３から入射した各部分光束を、略１種類の直線偏光光に変換する。
【００２６】
色分離光学装置４２は、２枚のダイクロイックミラー４２１，４２２及び反射ミラー４２３を備え、照明光学装置４１から射出された複数の部分光束を赤（Ｒ）、緑（Ｇ）、青（Ｂ）の３色の色光に分離する。このような色分離光学装置４２により分離された３色の色光のうち、緑色光及び青色光は、集光レンズ４１９を介して緑色光用及び青色光用の入射側偏光板４４２にそれぞれ入射し、赤色光は、リレー光学装置４３及び集光レンズ４１９を介して赤色光用の入射側偏光板４４２に入射する。
【００２７】
リレー光学装置４３は、色分離光学装置４２で分離された赤色光を、後述する赤色光用の液晶パネル４４１Ｒまで導くものであり、入射側レンズ４３１、リレーレンズ４３３及び反射ミラー４３２，４３４を備えている。このようなリレー光学装置４３が赤色光の光路上に配置されているのは、赤色光の光路の長さが他の色光の光路の長さよりも長いので光の拡散等による光の利用効率の低下を防止するためである。なお、リレー光学装置４３には、３つの色光のうち赤色光を通す構成としたが、これに限らず、例えば、青色光を通す構成としてもよい。
【００２８】
電気光学装置４４は、入射した光束を画像信号に応じて変調してカラー画像に係る画像光を形成する。この電気光学装置４４は、３つの液晶パネル４４１（赤色光側の液晶パネルを４４１Ｒ、緑色光側の液晶パネルを４４１Ｇ、青色光側の液晶パネルを４４１Ｂとする）と、各液晶パネル４４１の光路前段側に配置される３つの入射側偏光板４４２と、各液晶パネル４４１の光路後段側に配置される３つの射出側偏光板４４３と、クロスダイクロイックプリズム４４４とを備えて構成されている。
【００２９】
３つの入射側偏光板４４２は、色分離光学装置４２で分離された各色光のうち、偏光変換素子４１４で揃えられた偏光方向と略同一の偏光方向を有する偏光光のみ透過させ、その他の光束を吸収する。
３つの液晶パネル４４１は、一対の透明なガラス基板に電気光学物質である液晶が密閉封入された構成を有し、入力される画像情報に応じて液晶の配向状態が制御されることで、入射側偏光板４４２から射出された偏光光の偏光方向を変調する。
３つの射出側偏光板４４３は、液晶パネル４４１を介して射出された光束のうち、一定方向の偏光光（例えば、入射側偏光板４４２における光束の透過軸と直交する偏光軸を有する光束）を透過し、その他の光を吸収する。
【００３０】
クロスダイクロイックプリズム４４４は、各射出側偏光板４４３から射出された変調光を合成してカラー画像を形成する。このクロスダイクロイックプリズム４４４は、４つの直角プリズムを貼り合わせた平面視略正方形状を有し、直角プリズム同士を貼り合わせた界面には、２つの誘電体多層膜が形成されている。これら誘電体多層膜は、液晶パネル４４１Ｇから射出され、かつ、射出側偏光板４４３を介した色光を透過し、液晶パネル４４１Ｒ，４４１Ｂから射出され、かつ、射出側偏光板４４３を介した各色光を反射する。これにより、赤色光、緑色光及び青色光が合成された画像光が形成される。
【００３１】
光学部品用外装筐体４５は、内部に所定の照明光軸Ａが設定され、上述した各装置４１〜４４を照明光軸Ａに対する所定位置に配置する合成樹脂製の箱状部材である。
投射レンズ４６は、電気光学装置４４で形成された画像光を拡大投射する投射光学装置である。この投射レンズ４６は、鏡筒４６２内部に複数のレンズ（例えば、投射方向先端側に位置するフレネルレンズ４６１等）が収納された組レンズとして構成されており、本実施形態では、従来のプロジェクタに比べて画像光の投射距離が短くても、従来のプロジェクタと同じ投射領域を実現可能に構成されている。短い投射距離で従来と同じ投射領域を実現するため、フレネルレンズ４６１の直径は鏡筒４６２の直径より大きくなっている。この投射レンズ４６の鏡筒４６２には、開口２１１３（図１参照）を介して露出するつまみ４６３（図１及び図２参照）が設けられており、手動でズーム及びフォーカスを調整することができる。
【００３２】
〔受光装置および受光窓の構成〕
図４は、受光装置１０、受光窓１１、アッパーケース２１、およびフロントケース２３の分解斜視図である。図５は、受光装置１０および受光窓１１を示す断面図である。
フロントケース２３は、図４に示すように、前述した開口２３１が形成される正面部２３３と、正面部２３３の端縁から外装筐体２の背面部２１４側に向かって起立する起立部２３４と、正面部２３３の長手方向の略中央位置に、起立部２３４から正面部２３３にかけて形成される切欠２３５と、切欠２３５の内側に設けられる傾斜面２３６とを備える。
【００３３】
切欠２３５には、図５に示すように、上面部２１１側に向かって突出する突出部２３５Ａが正面部２３３の長手方向に沿って形成されている。
傾斜面２３６は、正面部２３３およびアッパーケース２１の上面部２１１に対して傾斜し、かつ、受光用開口部２３２を介して外装筐体２の外側に向かう方向を法線方向とするように設けられ、図４に示すように、受光装置１０を固定するためのネジ孔２３６Ａが正面部２３３側から見て右上部分に形成されている。
【００３４】
アッパーケース２１は、上面部２１１の長手方向の略中央位置に形成される切欠２１５を備える。この切欠２１５は、アッパーケース２１およびフロントケース２３が組み合わさった状態において、フロントケース２３の切欠２３５と一体化され、受光用開口部２３２を形成している。すなわち、本実施形態では、受光用開口部２３２は、正面部２３３および上面部２１１が交差する角部に形成されている。
【００３５】
受光装置１０は、図４および図５に示すように、基板１０１と、基板１０１に取り付けられ、リモコン（図示省略）からの操作信号を受光する受光素子１０２とを備える。
基板１０１は、略矩形板状に形成され、傾斜面２３６に形成されたネジ孔２３６Ａと対向する位置に孔１０１Ａが形成されている。そして、基板１０１は、孔１０１Ａを介してネジ１０１Ｂがネジ孔２３６Ａに螺合されることで固定されている。
受光素子１０２は、受光方向Ｂが基板１０１の法線方向と略一致するように、基板１０１の正面部２３３側から見て左端部分に取り付けられている。したがって、受光装置１０の受光方向Ｂは、受光用開口部２３２が形成された正面部２３３および上面部２１１に対して傾斜し、かつ、受光用開口部２３２を介して外装筐体２の外側に向かう方向とされている。
【００３６】
図６は、受光窓１１を背面側から見た斜視図である。
受光窓１１は、透光性を有する材料を成形したものであり、図４および図６に示すように、受光用開口部２３２を閉塞するとともに、操作信号を受光用開口部２３２内に導入させる受光部１１１，１１２と、受光部１１１，１１２から導入される操作信号の少なくとも一部を反射させる反射部１１３，１１４を備える。なお、各受光部１１１，１１２および各反射部１１３，１１４には、鏡面仕上げが施されている。
受光部１１１および受光部１１２は、それぞれ略矩形の板状に成形され、正面部２３３および上面部２１１に沿って延出する縦断面視略Ｌ字形状を有している。また、受光部１１２には、外装筐体２の背面部２１４側に向かって突出する突出部１１２Ａが形成されている。
反射部１１３および反射部１１４は、受光部１１１および受光部１１２の長手方向の端縁から受光用開口部２３２内に向かって延出している。すなわち、各反射部１１３，１１４は、各受光部１１１，１１２と交差するとともに、受光用開口部２３２内に向かって延出している。そして、各反射部１１３，１１４には、受光部１１１との間に間隙Ｌを形成する切欠１１３Ａ，１１４Ａが形成されている。
【００３７】
そして、受光窓１１は、図４および図５に示すように、受光部１１１と、各反射部１１３，１１４の切欠１１３Ａ，１１４Ａとで突出部２３５Ａを挟み込むように切欠２３５に嵌め込まれるとともに、上面部２１１にて受光部１１２の突出部１１２Ａを押さえ込まれるようにして外装筐体２に取り付けられる。
【００３８】
本実施形態に係るプロジェクタ１によれば、次のような効果がある。
（１）受光装置１０の受光方向Ｂは、受光用開口部２３２が形成された正面部２３３および上面部２１１に対して傾斜し、かつ、受光用開口部２３２を介して外装筐体２の外側に向かう方向とされるので、操作信号がプロジェクタ１の正面上方側から送出される場合であっても良好な受光状態を得ることができる。
（２）各受光部１１１，１１２は、受光用開口部２３２が形成された正面部２３３および上面部２１１に沿って設けられているので、プロジェクタ１の背面上方側から送出される操作信号は、外装筐体２の上面部２１１に沿って設けられた受光部１１２に導入され、外装筐体２の正面部２３３に沿って設けられた受光部１１１において一部が反射されて受光装置１０にて受光される。したがって、プロジェクタ１の背面上方側から送出される操作信号についても良好な受光状態を得ることができ、ひいては、受光装置１０の受光範囲を拡張することができる。
【００３９】
（３）受光用開口部２３２内には、傾斜面２３６が設けられているので、傾斜面２３６に基板１０１を固定するだけの簡素な構成により、受光装置１０の受光方向Ｂを、受光用開口部２３２が形成された正面部２３３および上面部２１１に対して傾斜し、かつ、外装筐体２の外側に向かう方向とすることができ、操作信号が斜めからプロジェクタに対して送出される場合であっても良好な受光状態を得ることができる。
（４）プロジェクタ１の側面上方側から送出される操作信号は、外装筐体２の正面部２３３または上面部２１１に沿って設けられた各受光部１１１，１１２に導入され、各受光部１１１，１１２と交差するともに、受光用開口部２３２内に向かって延出する反射部１１３，１１４において少なくとも一部が反射されて受光装置１０にて受光される。したがって、プロジェクタ１の側面上方側から送出される操作信号についても良好な受光状態を得ることができ、ひいては、受光装置１０の受光範囲を拡張することができる。
【００４０】
〔実施形態の変形〕
なお、本発明は前記実施形態に限定されるものではなく、本発明の目的を達成できる範囲での変形、改良等は本発明に含まれるものである。
前記実施形態では、受光用開口部２３２は、外装筐体２の正面部２３３および上面部２１１が交差する角部に形成されていたが、例えば、外装筐体２の背面部２１４および上面部２１１が交差する角部に形成されていてもよく、さらには、外装筐体２の正面部２３３、上面部２１１、および側面部２１３が交差する角部に形成されていてもよい。要するに、受光用開口部は、外装筐体の複数の面が交差する角部に形成されていればよい。
【００４１】
前記実施形態では、受光窓１１は、正面部２３３および上面部２１１に沿って延出する縦断面視略Ｌ字形状を有する２つの受光部１１１，１１２を備えていたが、受光窓は、平面状の１つの受光部を備えていてもよく、さらには、３つ以上の受光部を備えていてもよい。
前記実施形態では、基板１０１を傾斜面２３６に固定することで、受光装置１０の受光方向Ｂを、受光用開口部２３２が形成された正面部２３３および上面部２１１に対して傾斜し、かつ、受光用開口部２３２を介して外装筐体２の外側に向かう方向としていたが、例えば、基板１０１を正面部２３３に直接固定してもよい。要するに、受光装置の受光方向を、受光用開口部が形成された各面に対して傾斜し、かつ、受光用開口部を介して外装筐体の外側に向かう方向とすることができればよい。
【００４２】
前記実施形態では、受光窓１１は、各受光部１１１，１１２と交差するともに、受光用開口部２３２内に向かって延出する２つの反射部１１３，１１４を備えていたが、いずれか１つの反射部のみを備えていてもよく、さらには、このような反射部を備えていなくてもよい。
前記実施形態では、光学装置４は平面視略Ｌ字形状を有した構成としたが、これに限らず、例えば、平面視略Ｕ字形状を有した構成を採用してもよい。
前記各実施形態では、透過型の液晶パネル４４１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００４３】
本発明は、プロジェクタに好適に利用することができる。
【図面の簡単な説明】
【００４４】
【図１】本発明に係る一実施形態に係るプロジェクタを正面側から見た斜視図。
【図２】前記実施形態における装置本体を示す斜視図。
【図３】前記実施形態における光学装置の光学系を示す模式図。
【図４】前記実施形態における受光装置、受光窓、アッパーケース、およびフロントケースの分解斜視図。
【図５】前記実施形態における受光装置および受光窓を示す断面図。
【図６】前記実施形態における受光窓を外装筐体側から見た斜視図。
【符号の説明】
【００４５】
１…プロジェクタ、２…外装筐体、４…光学装置（画像投射装置）、１０…受光装置、１１…受光窓、１０１…基板、１０２…受光素子、１１１，１１２…受光部、１１３，１１４…反射部、２３２…受光用開口部、２３６…傾斜面、Ｂ…受光方向。
【図１】
2009086200.tif 000003
【図２】
2009086200.tif 000004
【図３】
2009086200.tif 000005
【図４】
2009086200.tif 000006
【図５】
2009086200.tif 000007
【図６】
2009086200.tif 000008